(57)【特許請求の範囲】
【請求項１】
携帯電話に通信可能に接続されてその印刷可能なデータを印刷するプリント装置であって、
携帯電話に接続可能な接続部と、
携帯電話の内部に記憶された印刷可能データに係るインデックス情報の一覧を接続部を介して取得する機能を備えたインデックス情報取得部と、
携帯電話の表示画面よりも大きく形成され、インデックス情報の一覧を表示する表示部と、
インデックス情報の一覧から少なくとも一のインデックス情報をユーザに選択させる機能を備えた入力部と、
携帯電話の内部に記憶され、入力部でユーザが選択したそれぞれの情報に係る印刷可能データを接続部を介して取得する機能を備えた印刷可能データ取得部と、
取得された印刷可能データを印刷する印刷部とを含んでなることを特徴とするプリント装置。
【請求項２】
表示部はカテゴリの一覧を表示する機能を含み、
入力部は少なくとも一のカテゴリをユーザに選択させる機能を含み、
インデックス情報取得部は、携帯電話からインデックス情報の一覧を取得する際、ユーザが選択したカテゴリのいずれかに属する全ての印刷可能データに係るインデックス情報の一覧を携帯電話に対して要求する機能を含んでなる請求項１記載のプリント装置。
【請求項３】
インデックス情報は、対応する印刷可能データのサムネイル情報を含み、
入力部は、プレビューを指示する入力をユーザから受け付ける機能を含み、
表示部は、プレビューを指示する入力を入力部から受けると、サムネイル情報をプレビューとして表示する機能を含んでなる請求項１記載のプリント装置。
【請求項４】
印刷部は、印刷が正常に終了すると、携帯電話に、印刷に成功した印刷可能データを消去する指示を出力する機能を含んでなる請求項１記載のプリント装置。
【請求項５】
入力部は、プレビューを指示する入力をユーザから受け付ける機能をさらに含み、
表示部は、プレビューを指示する入力を入力部から受けると、印刷可能データの印刷イメージをプレビューとして表示する機能をさらに含んでなる請求項１記載のプリント装置。
【請求項６】
請求項１記載のプリント装置に接続可能な接続部と、
少なくとも一の印刷可能データを記憶可能な記憶部と、
プリント装置からインデックス情報の一覧を送信するよう要求されると、内部に記憶した印刷可能データに係るインデックス情報の一覧をプリント装置に送信する機能を備えたインデックス情報送信部と、
プリント装置から印刷可能データを送信するよう要求されると、該当する印刷可能データをプリント装置に送信する機能を備えた印刷可能データ送信部とを含んでなることを特徴とする携帯電話。
【請求項７】
インデックス情報送信部は、プリント装置からインデックス情報の一覧を送信するよう要求された際、要求に少なくとも一のカテゴリ情報が含まれている場合には、このカテゴリ情報のいずれかに属する全ての印刷可能データに係るインデックス情報の一覧をプリント装置に送信する機能を含んでなる請求項６記載の携帯電話。
【請求項８】
インデックス情報送信部は、インデックス情報に、対応する印刷可能データのサムネイル情報を含めて送信する請求項６記載の携帯電話。
【請求項９】
プリント装置から印刷可能データを消去するよう指示を受けた場合、対応する印刷可能データを記憶部から消去する請求項６記載の携帯電話。
【請求項１０】
請求項１記載のプリント装置と、請求項６記載の携帯電話とを含んでなることを特徴とするプリントシステム。
【請求項１１】
請求項２記載のプリント装置と、請求項７記載の携帯電話とを含んでなることを特徴とするプリントシステム。
【請求項１２】
請求項３記載のプリント装置と、請求項８記載の携帯電話とを含んでなることを特徴とするプリントシステム。
【請求項１３】
請求項４記載のプリント装置と、請求項９記載の携帯電話とを含んでなることを特徴とするプリントシステム。
【請求項１４】
請求項５記載のプリント装置と、請求項６記載の携帯電話とを含んでなることを特徴とするプリントシステム。
【発明の詳細な説明】
【０００１】
【発明の属する技術分野】
本発明は、携帯電話とプリント装置とをケーブルや赤外線等を用いて接続し、携帯電話に記憶されたデータをプリント装置で印刷するプリント装置、携帯電話、及びプリントシステムに関するものである。
【０００２】
【従来の技術】
近年、携帯電話等のデータをプリント装置(プリンタ)により印刷できるプリントシステムが開発されている。例えば、特開平１１−３２０９７７号公報には、携帯電話等に記憶された文字データや音声データをプリント装置においてビットマップデータに変換し、印刷できるプリントシステムが開示されている。
【０００３】
【発明が解決しようとする課題】
ところで、今日の携帯電話は、技術の飛躍的進歩に伴い複数のデータを蓄積可能なように構成されている。したがって、上記公報のプリントシステムにおいて、ユーザは、複数のデータ中から印刷したいデータを選択してプリント装置に出力することとなる。
しかしながら、このようなシステムでは、ユーザは、携帯電話に設けられた小さな表示画面、及びダイアルキーを用いてデータを選択せざるを得ない。このため、データ選択時の視認性・操作性の向上を到底図ることができないという大きな問題がある。
【０００４】
本発明は、上記に鑑みなされたもので、データ選択時の視認性・操作性を向上させることができるプリント装置、携帯電話、及びプリントシステムを提供することを目的としている。
【０００５】
【課題を解決するための手段】
本発明においては上記課題を達成するため、携帯電話に通信可能に接続されてその印刷可能なデータを印刷するものであって、
携帯電話に接続可能な接続部と、
携帯電話の内部に記憶された印刷可能データに係るインデックス情報の一覧を接続部を介して取得する機能を備えたインデックス情報取得部と、
携帯電話の表示画面よりも大きく形成され、インデックス情報の一覧を表示する表示部と、
インデックス情報の一覧から少なくとも一のインデックス情報をユーザに選択させる機能を備えた入力部と、
携帯電話の内部に記憶され、入力部でユーザが選択したそれぞれの情報に係る印刷可能データを接続部を介して取得する機能を備えた印刷可能データ取得部と、
取得された印刷可能データを印刷する印刷部とを含んでなることを特徴としている。
【０００６】
なお、表示部はカテゴリの一覧を表示する機能を含み、
入力部は少なくとも一のカテゴリをユーザに選択させる機能を含み、
インデックス情報取得部は、携帯電話からインデックス情報の一覧を取得する際、ユーザが選択したカテゴリのいずれかに属する全ての印刷可能データに係るインデックス情報の一覧を携帯電話に対して要求する機能を含んでなると良い。
【０００７】
また、インデックス情報は、対応する印刷可能データのサムネイル情報を含み、
入力部は、プレビューを指示する入力をユーザから受け付ける機能を含み、
表示部は、プレビューを指示する入力を入力部から受けると、サムネイル情報をプレビューとして表示する機能を含んでなると良い。
また、印刷部は、印刷が正常に終了すると、携帯電話に、印刷に成功した印刷可能データを消去する指示を出力する機能を含んでなると良い。
【０００８】
また、入力部は、プレビューを指示する入力をユーザから受け付ける機能をさらに含み、
表示部は、プレビューを指示する入力を入力部から受けると、印刷可能データの印刷イメージをプレビューとして表示する機能をさらに含んでなると良い。
【０００９】
また、本発明においては上記課題を達成するため、請求項１記載のプリント装置に接続可能な接続部と、
少なくとも一の印刷可能データを記憶可能な記憶部と、
プリント装置からインデックス情報の一覧を送信するよう要求されると、内部に記憶した印刷可能データに係るインデックス情報の一覧をプリント装置に送信する機能を備えたインデックス情報送信部と、
プリント装置から印刷可能データを送信するよう要求されると、該当する印刷可能データをプリント装置に送信する機能を備えた印刷可能データ送信部とを含んでなることを特徴としている。
【００１０】
なお、インデックス情報送信部は、プリント装置からインデックス情報の一覧を送信するよう要求された際、要求に少なくとも一のカテゴリ情報が含まれている場合には、このカテゴリ情報のいずれかに属する全ての印刷可能データに係るインデックス情報の一覧をプリント装置に送信する機能を含んでなると良い。
また、インデックス情報送信部は、インデックス情報に、対応する印刷可能データのサムネイル情報を含めて送信することが好ましい。
また、プリント装置から印刷可能データを消去するよう指示を受けた場合、対応する印刷可能データを記憶部から消去することが好ましい。
【００１１】
また、本発明においては上記課題を達成するため、請求項１記載のプリント装置と、請求項６記載の携帯電話とを含んでなることを特徴としている。
また、本発明においては上記課題を達成するため、請求項２記載のプリント装置と、請求項７記載の携帯電話とを含んでなることを特徴としている。
また、本発明においては上記課題を達成するため、請求項３記載のプリント装置と、請求項８記載の携帯電話とを含んでなることを特徴としている。
【００１２】
さらに、本発明においては上記課題を達成するため、請求項４記載のプリント装置と、
請求項９記載の携帯電話とを含んでなることを特徴としている。
さらにまた、本発明においては上記課題を達成するため、請求項５記載のプリント装置と、請求項６記載の携帯電話とを含んでなることを特徴としている。
【００１３】
【発明の実施の形態】
実施形態１
以下、図面を参照して本発明の好ましい実施形態を説明すると、本実施形態におけるプリントシステムは、図１や図２等に示すように、携帯電話機からなる携帯電話１０１と、
プリント装置１０２とを備えている。
【００１４】
携帯電話１０１は、図２に示すように、ダイアルキーからなる入力部１１３、小型のＬＣＤ画面からなる表示部１１４、記憶部１０９、印刷可能データ送信部１１０、接続部１１１、及びインデックス情報送信部１１２から構成されている。記憶部１０９は、携帯電話１０１に送信されてきた印刷可能データを記憶するメモリーからなる。印刷可能データ送信部１１０は、印刷可能データをプリント装置１０２に送信するよう機能する。また、接続部１１１は、携帯電話１０１とプリント装置１０２とを接続するための赤外線インターフェイスである。これら携帯電話１０１とプリント装置１０２は、ＩｒＤＡ等の赤外線通信プロトコルを用いて論理的に接続される。
【００１５】
インデックス情報送信部１１２は、記憶部１０９に記憶されている全ての印刷可能データをカテゴリ別（データの種類別）に分類するとともに、各印刷可能データ毎に、その内容を示す情報（インデックス情報）を生成する。このインデックス情報送信部１１２は、インデックス情報をプリント装置１０２に送信する機能も有している。
【００１６】
プリント装置１０２は、携帯電話１０１から伝達された印刷可能データを印刷するプリンタである。本システムでは、印刷すべき印刷可能データを、プリント装置１０２上で選択できるように設定されている。プリント装置１０２は、図１に示すように、インデックス情報取得部１０３、接続部１０４、印刷可能データ取得部１０５、表示部１０６、入力部１０７、及び印刷部１０８から構成されている。
【００１７】
接続部１０４は、携帯電話１０１とプリント装置１０２とを接続する赤外線インターフェイスである。これら携帯電話１０１とプリント装置１０２は、ＩｒＤＡ等の赤外線通信プロトコルを用いて論理的に接続される。印刷可能データ取得部１０５は、ユーザに選択された印刷可能データをプリント装置１０１に要求、取得するよう機能する。
【００１８】
表示部１０６は、プリント処理の経過・結果等をユーザに表示する大型のＬＣＤパネルからなる。印刷部１０８は、携帯電話１０１から伝達された印刷可能データを、所定のシート（記録用紙）に印刷するためのプリントエンジンからなる。また、入力部１０７は、上記ＬＣＤパネルに組み込まれる感圧式デバイスであり、ユーザの入力指示を受け付けるよう機能する。この入力部１０７は、ユーザがＬＣＤパネルに表示されたボタンを指等で押圧操作すると、加圧された位置を検出し、その座標に応じてユーザの指示内容を判断するよう設定されている。
【００１９】
インデックス情報取得部１０３は、表示部１０６に、図３に示すようなカテゴリの一覧表を表示するよう機能する。このインデックス情報取得部１０３は、ユーザにより入力部１０７を介してカテゴリが選択されると、携帯電話１０１に対し、選択されたカテゴリに属する印刷可能データのインデックス情報を要求するように設定されている。そして、携帯電話１０１から送信されたインデックス情報を取得し、表示部１０６に表示させる。
【００２０】
図４は、カテゴリとして「メール」が選択された場合における、各印刷可能データ(メールデータ)のインデックス情報を示す説明図である。各メールデータのインデックス情報には同図に示すように、メールが送信された日時、送信者、及び題名（件名）が記載されている。ユーザは、印刷開始ボタンを押圧操作することにより、印刷すべきメールデータを選択することができる。
なお、ユーザは、元の位置に復帰するボタンにより、カテゴリの選択画面に処理を戻すこともできる。また、ユーザは、複数のカテゴリ、あるいは印刷可能データを同時に選択することも可能である。
【００２１】
次に、本システムにおける印刷動作について説明する。図７及び図８は、印刷動作の流れを示すデータフロー図及びフローチャートである。
【００２２】
上記図に示すように、印刷開始の際、ユーザにより携帯電話１０１とプリント装置１０２との接続が確立される（Ｓ８０１）と、プリント装置１０２のインデックス情報取得部１０３は、図３に示すようなカテゴリの一覧表を表示させる（Ｓ８０２）。そして、ユーザによりカテゴリが選択されると、インデックス情報取得部１０３は、選択されたカテゴリに属する印刷可能データのインデックス情報を要求するため、携帯電話１０１に対し、図１５に示すようなインデックス情報要求パケットを送信する。このパケットには同図に示すように、パケットの種別を示す識別ＩＤ、選択されたカテゴリの数（ｎ）、及び選択されたカテゴリの種類を示すＩＤ１〜ＩＤｎが記載されている。
【００２３】
これに応じ、携帯電話１０１のインデックス情報送信部１１２は、要求されたカテゴリに属する全印刷可能データのインデックス情報を含む、図１６に示すようなインデックス情報の一覧パケットをプリント装置１０２に送信する（Ｓ８０３・Ｓ８０４）。この一覧パケットには、図１６に示すように、パケットの種別を示す識別ＩＤ、インデックスの数(ｎ)、及び各印刷可能データにおけるインデックス情報１〜ｎが含まれている。
なお、複数のカテゴリが選択されている場合、一覧パケットには、各カテゴリに属する全印刷可能データのインデックス情報が含まれる。
【００２４】
図１７は、印刷可能データがメールデータである場合におけるインデックス情報の内容を示す説明図である。インデックス情報には同図に示すように、データ長、データＩＤ、カテゴリＩＤ、送信日時、送信者、題名（件名）、及びサムネイルが含まれている。そして、インデックス情報取得部１０３が、送信されたインデックス情報を図４に示すように表示させ、ユーザによる印刷可能データの選択を待つ（Ｓ８０５・Ｓ８０６）。その後、図４の表示画面において、ユーザが戻るボタンを選択した場合、処理はＳ８０２（図３）に戻る。
【００２５】
一方、印刷開始ボタンが選択された場合には、印刷可能データ取得部１０５が、選択された印刷可能データを取得するため、図１８に示すような印刷可能データ要求パケットを携帯電話１０１に送信する（Ｓ８０７）。このパケットには図１８に示すように、パケットの種別を示す識別ＩＤ、選択された印刷可能データの数（ｎ）、及び各印刷可能データを特定するためのＩＤｌ〜ＩＤｎが記載されている。
【００２６】
これに応じて、印刷可能データ送信部１１０が、要求された印刷可能データを含む、図１９に示すような印刷可能データパケットをプリント装置１０２に送信する（Ｓ８０８）。このパケットには、同図に示すように、パケットの種別を示す識別ＩＤ、印刷可能データの数（ｎ）、及び印刷可能データ１〜ｎが含まれている。
【００２７】
図２０は、印刷可能データパケットに含まれる印刷可能データ（メールデータ）の内容を示す説明図である。この図に示すように、メールデータには、データ長、データＩＤ、カテゴリＩＤ、送信日時、送信者、題名（件名）、及びメール本文（全文）が含まれている。そして、印刷可能データ取得部１０５が、印刷可能データ送信部１１０から送信された印刷可能データを印刷部１０８に伝達する。その後、印刷部１０８が、所定のシートに印刷可能データを印刷し(Ｓ８０９)、処理が終了する。
【００２８】
以上のように本システムによれば、プリント装置１０２における大型のＬＣＤパネルである表示部１０６に、カテゴリの一覧及びインデックス情報を表示するようになっている。そして、表示部１０６に示されているボタンが指等で押圧操作されると、加圧された位置を入力部１０７を用いて検出し、プリント装置１０２により印刷したい印刷可能データを選択するよう設定されている。
【００２９】
したがって、本システムでは、プリント装置１０２に設けられている大型で視認性の高い表示部１０６と操作性の高い入力部１０７とを用い、印刷したいデータを選択することができる。これにより、携帯電話１０１における小型画面、及びダイアルキー等を用いてデータを選択する構成に比して、ユーザの操作性を著しく向上させることができる。
【００３０】
なお、本実施形態では携帯電話１０１からプリント装置１０２に送信されたインデックス情報に基づき、ユーザが印刷可能データを選択するように設定されている。しかしながら、これに限らず、プリント装置１０２のインデックス情報取得部１０３が、携帯電話１０１の記憶部１０９に記憶されている全印刷可能データを解析し、そのインデックス情報を作成して表示部１０６に表示するようにすることも可能である。また、インデックス情報を表示せず、ユーザが、印刷可能データを特定するＩＤ、あるいは名称をプリント装置１０２の入力部１０７に直接入力することで、印刷すべきデータを選択するようにしても良い。このようにすれば、印刷処理の簡略化が大いに期待できる。
【００３１】
また、本実施形態では、プリント装置１０２が、ユーザにより印刷可能データの選択が行われた後、そのデータを携帯電話１０１から取得して印刷するようになっている。しかし、これに限らず、印刷可能データ取得部１０５が、携帯電話１０１における全印刷可能データを予め取得して記憶部(図示せず)に記憶させるものでも良い。そして、インデックス情報取得部１０３が、記憶部に記憶されている印刷可能データのインデックス情報を作成して表示部１０６に表示させるようにしても良い。
【００３２】
そして、印刷部１０８が、選択されたデータを記憶部から読み出して印刷するよう設定することもできる。このようにすれば、携帯電話１０１とプリント装置１０２との間における情報送信量を減少させることができるので、印刷処理の簡略化が期待できる。
さらに、本実施形態では、携帯電話１０１とプリント装置１０２とを赤外線インターフェイス１０４・１１１で接続したが、ケーブル接続しても良いし、電波による無線通信で接続することも可能である。
実施形態２
【００３３】
次に、第２の実施形態について説明するが、上記実施形態と同様の部分には同一の符号を付し、その説明を省略する。
本実施形態におけるプリントシステム(本システム)では、図２に示すインデックス情報送信部１１２が、インデックス情報に、各印刷可能データのサムネイルを含ませるように設定されている。そして、図１のインデックス情報取得部１０３が、選択された印刷可能データのサムネイルを表示部１０６に表示させるようになっている。
【００３４】
ここで、サムネイルとは、印刷可能データの雛型をいう。本システムでは、印刷可能データが画像データである場合には、サムネイルは縮小画像となる。また、印刷可能データがメールデータである場合、サムネイルは、メールデータにおける先頭の１００文字までのデータとなる。サムネイルは、図５に示すプレビューボタンの選択により表示されるよう設定されている。
【００３５】
図６は、メールデータにおけるサムネイルの表示例を示す説明図である。表示部１０６には同図に示すように、印刷可能データの内容に加え、印刷開始を指示するための印刷開始ボタン、インデックス情報における１つ前(１つ後)の印刷可能データにおけるサムネイルを表示させる前（次）ボタン、インデックス情報の表示画面に戻るための戻るボタンが表示されている。入力部１０７を用いてこれらのボタンを選択することにより、ユーザは、所定の指示を入力する。
【００３６】
次に、本システムにおける印刷動作について説明する。図９及び図１０は、本システムにおける印刷動作の流れを示すデータフロー図及びフローチャートである。
これらの図に示すように、印刷の開始時からインデックス情報の表示（図５）までの処理は、図７、図８に示した処理と同一である。その後、戻るボタン、あるいは印刷開始ボタンが選択された場合の処理も図７、図８に示した処理と同様となる。
【００３７】
プレビューボタンが選択されると、インデックス情報取得部１０３は、ユーザに選択されている印刷可能データのサムネイルを、図６に示すように表示部１０６に表示し（Ｓ１００１）、ユーザの指示を待つ（Ｓ１００２・Ｓ１００３）。そして、戻るボタンが選択された場合には、インデックス情報取得部１０３は、表示部１０６の表示を図５に示すようなインデックス情報に戻す。一方、印刷開始ボタンが選択された場合、印刷可能データ取得部１０５により印刷可能データが取得され、印刷部１０８によって印刷される（Ｓ８０８、Ｓ８０９）。
【００３８】
また、前ボタン、あるいは次ボタンが選択された場合、インデックス情報取得部１０３は、取得したインデックス情報の一覧パケット(図１６)を参照し、現在、表示部１０６に表示させているインデックス情報の前(次)の情報を表示部１０６に表示させる（Ｓ１００４）。
以上のように、本システムでは、印刷可能データのサムネイルを表示することができる。これにより、ユーザは、印刷の前に、印刷可能データの内容を確認することができるので、印刷可能データの誤選択をきわめて有効に防止することが可能になる。
実施形態３
【００３９】
次に、本発明における第３の実施形態について説明するが、上記実施形態と同様の部分には同一の符号を付し、その説明を省略する。
本実施形態にかかるプリントシステム(本システム)では、図１に示した印刷部１０８が、印刷可能データの印刷が成功した場合、その印刷可能データを消去するよう、携帯電話１０１に要求するように設定されている。そして、携帯電話１０１における記憶部１０９が、その印刷可能データを消去するようになっている。
【００４０】
ここで、印刷の成功とは、紙詰まりやトナー不足等の印刷トラブルを発生させることなく、印刷可能データに応じた画像をシートに対して適切に形成できたことをいう。
【００４１】
図１１、図１２は、本システムにおける動作の流れを示すデータフロー図及びフローチャートである。これらの図に示すように、印刷の開始時から印刷可能データの印刷を実行するまでの処理は、図７、図８の処理と同一である。
その後、印刷部１０８は、印刷が成功したか否かを判断し（Ｓ１２０１）、失敗であると判断した場合には、処理を終了する。
【００４２】
一方、印刷が成功したと判断した場合、印刷部１０８は、携帯電話１０１に対し、印刷に係る印刷可能データを消去するよう要求する（Ｓ１２０２）。これに応じ、携帯電話１０１の印刷部１０８が、その印刷可能データを消去して（Ｓ１２０３）、処理が終了する。
上記システムによれば、印刷済みの印刷可能データを自動的に消去できるようになっている。これにより、ユーザは、特に指示をしなくても、印刷することで不用となった印刷可能データを携帯電話１０１から確実に削除することができる。
実施形態４
【００４３】
次に、本発明における第３の実施形態について説明するが、上記実施形態と同様の部分には同一の符号を付し、その説明を省略する。
本実施形態におけるプリントシステム(本システム)では、図５に示したプレビューボタンが選択されると、印刷可能データ取得部１０５が印刷可能データを携帯電話１０１から取得し、サムネイルを作成して表示部１０６に表示させるように設定されている。すなわち、本システムでは、インデックス情報にサムネイルが含まれていない場合でも、印刷前にサムネイルを表示できるようになっている。
【００４４】
図１３、図１４は、本システムにおける動作の流れを示すデータフロー図及びフローチャートである。これらの図に示すように、印刷の開始時から印刷可能データを取得するまでの処理は、図７、図８の処理と同一である。
すなわち、図５に示す画面において、ユーザがプレビューボタン、あるいは印刷開始ボタンを選択すると、印刷可能データ取得部１０５が、選択されている印刷可能データを携帯電話１０１から取得する（Ｓ８０８）。そして、選択されたボタンが印刷開始ボタンである場合には、印刷部１０８が、その印刷可能データを印刷し（Ｓ８０９）、処理が終了する。
【００４５】
一方、プレビューボタンが選択された場合には、印刷可能データ取得部１０５は、取得した印刷可能データのサムネイルを作成し、図６に示すようにプレビューとして表示部１０６に表示する（Ｓ１４０１・Ｓ１４０２）。そして、この画面において戻るボタンが選択された場合、Ｓ８０５に戻る一方、印刷開始ボタンが選択された場合には、印刷部１０８による印刷が行われ（Ｓ８０９）、処理が終了する。
【００４６】
また、前ボタン、あるいは次ボタンが選択された場合、印刷可能データ取得部１０５は、インデックス情報取得部１０３が取得したインデックス情報の一覧パケット(図１６)を参照し、現在表示部１０６に表示させているサムネイルの前(次)の情報に係る印刷可能データを携帯端末褒置１０１から取得し、取得した印刷可能データのサムネイルを作成し、表示部１０６に表示させる（Ｓ１４０４）。
【００４７】
上記システムによれば、印刷可能データのサムネイルを表示できるようになっている。これにより、ユーザは、印刷の前に、印刷可能データの内容を把握することができ、印刷可能データの誤選択をきわめて有効に防止できる。さらに、携帯電話１０１に対し、サムネイルの作成機能を保持させる必要性が全くない。
【００４８】
【発明の効果】
以上のように請求項１、６、１０記載の発明によれば、携帯電話からなる携帯電話の表示画面よりも大きく、視認性の高い表示部と、操作性の高い入力部とを有するプリント装置を用いるので、携帯電話の小さい表示画面を使用してデータを選択する場合に比べ、視認性・操作性の向上を図ることができる。したがって、ユーザが印刷したいデータを容易に選択することができるという効果がある。
【００４９】
また、請求項２、７、１１記載の発明によれば、ユーザが指定したカテゴリに属するインデックス情報だけが表示部に一覧表示されるので、携帯電話に多数のデータが入力されている場合でも、ユーザが印刷したいデータを容易に選択することができる。
さらに、請求項３、８、１２記載の発明によれば、データ印刷前にそのデータの内容を表示部でユーザが確認することができるので、誤ったデータを印刷してしまうことを抑制防止することができる。
【図面の簡単な説明】
【図１】  請求項１〜５記載の発明に係るプリント装置の実施形態におけるプリント装置の内部構成を示すブロック図である。
【図２】  請求項６〜９記載の発明に係る携帯電話の実施形態における携帯電話の内部構成を示すブロック図である。
【図３】  請求項２〜５記載の発明に係るプリント装置の実施形態におけるプリント装置を構成する表示部のカテゴリの一覧を示す表示例である。
【図４】  請求項１、２、４記載の発明に係るプリント装置の実施形態におけるプリント装置を構成する表示部のインデックス情報の一覧を示す表示例である。
【図５】  請求項３、５記載の発明に係るプリント装置の実施形態におけるプリント装置を構成する表示部のインデックス情報の一覧を示す表示例である。
【図６】  請求項３、５記載の発明に係るプリント装置の実施形態におけるプリント装置を構成する表示部のプレビューを示す表示例である。
【図７】  請求項１１記載の発明に係るプリントシステムの実施形態におけるプリント装置と携帯電話の間でデータをやり取りする模様を示すデータフローである。
【図８】  請求項１１記載の発明に係るプリントシステムの実施形態におけるプリントシステムの挙動を示すアルゴリズムのフローチャートである。
【図９】  請求項１２記載の発明に係るプリントシステムの実施形態におけるプリント装置と携帯電話の間でデータをやり取りする模様を示すデータフローである。
【図１０】  請求項１２記載の発明に係るプリントシステムプリントシステムの実施形態におけるプリントシステムの挙動を示すアルゴリズムのフローチャートである。
【図１１】  請求項１３記載の発明に係るプリントシステムの実施形態におけるプリント装置と携帯電話の間でデータをやり取りする模様を示すデータフローである。
【図１２】  請求項１３記載の発明に係るプリントシステムの実施形態におけるプリントシステムの挙動を示すアルゴリズムのフローチャートである。
【図１３】  請求項１４記載の発明に係るプリントシステムの実施形態におけるプリント装置と携帯電話の間でデータをやり取りする模様を示すデータフローである。
【図１４】  請求項１４記載の発明に係るプリントシステムの実施形態におけるプリントシステムの挙動を示すアルゴリズムのフローチャートである。
【図１５】  本発明に係るプリント装置、携帯電話、及びプリントシステムの実施形態におけるプリント装置から携帯電話に送信されるインデックス情報要求パケットを例示的に示す説明図である。
【図１６】  本発明に係るプリント装置、携帯電話、及びプリントシステムの実施形態における携帯電話からプリント装置に送信されるインデックス情報の一覧パケットを例示的に示す説明図である。
【図１７】  図１６のインデックス情報の一覧パケットに含まれるインデックス情報を例示的に示す説明図である。
【図１８】  プリント装置から携帯電話に送信される印刷可能データ要求パケットを例示的に示す説明図である。
【図１９】  携帯電話からプリント装置に送信される印刷可能データ要求パケットを例示的に示す説明図である。
【図２０】  図１９のインデックス情報の一覧パケットに含まれるインデックス情報を例示的に示す説明図である。
【符号の説明】
１０１          携帯電話
１０２          プリント装置
１０３          インデックス情報取得部
１０４          接続部
１０５          印刷可能データ取得部
１０６          表示部
１０７          入力部
１０８          印刷部
１０９          記憶部
１１０          印刷可能データ送信部
１１１          接続部
１１２          インデックス情報送信部
１１３          入力部
１１４          表示部
【図１】
0003739252.tif 000002
【図２】
0003739252.tif 000003
【図３】
0003739252.tif 000004
【図４】
0003739252.tif 000005
【図５】
0003739252.tif 000006
【図６】
0003739252.tif 000007
【図７】
0003739252.tif 000008
【図８】
0003739252.tif 000009
【図９】
0003739252.tif 000010
【図１０】
0003739252.tif 000011
【図１１】
0003739252.tif 000012
【図１２】
0003739252.tif 000013
【図１３】
0003739252.tif 000014
【図１４】
0003739252.tif 000015
【図１５】
0003739252.tif 000016
【図１６】
0003739252.tif 000017
【図１７】
0003739252.tif 000018
【図１８】
0003739252.tif 000019
【図１９】
0003739252.tif 000020
【図２０】
0003739252.tif 000021